(57)【要約】【課題】枠体の上枠に風止め板を簡単に取り付けることができる開口部装置を提供する。【解決手段】四方枠組みした枠体１１に引き違い形式の障子６を備え、この障子６の召し合わせ框６７，６８に対応する枠体の上枠１１に風止め板１００を備え、この風止め板１００が上枠の保持溝にスライド自在に係合する仮止め爪と、上枠の保持溝に当該風止め板を固定する回転止め爪とを備えた。【選択図】図１
2007177415.tif 000002
【特許請求の範囲】
【請求項１】
四方枠組みした枠体に引き違い形式の障子を備え、この障子の召し合わせ框に対応する前記枠体の上枠に風止め板を備え、この風止め板が前記上枠の保持溝にスライド自在に係合する仮止め爪と、前記上枠の保持溝に当該風止め板を固定する回転止め爪とを備えたことを特徴とする開口部装置。
【請求項２】
一対の前記仮止め爪を前記回転止め爪の両側方に備えたことを特徴とする請求項１記載の開口部装置。
【請求項３】
少なくとも一つの仮止め爪が一対のスナップ形式のつまみ部を備え、このつまみ部を操作することで当該仮止め爪を保持溝から脱出自在に形成したことを特徴とする請求項１または２記載の開口部装置。
【発明の詳細な説明】
【技術分野】
【０００１】
本発明は、建物に設けられた引違い窓において、障子の召し合わせ框に対応する枠体の上枠に風止め板を備えた開口部装置に関する。
【背景技術】
【０００２】
一般に、四方枠組みした枠体内に引き違い形式の障子を配置した引違い窓が知られている。この種のものでは、この障子の召し合わせ框に対応する枠体の上枠に風止め板を取り付けて、この風止め板により、召し合わせ框の上縁と、これに対応する上枠との間の通気を防止している。この風止め板は、召し合わせ框の幅寸法とほぼ同じ長さか、或いはそれよりも長く形成されるが、これを枠体の上枠に取り付ける場合、例えばねじ等により止着するのが一般的である。しかし、ねじによる止着では、上枠に加工が必要になると共に、風止め板の取り外しや、固定に手間がかかる。これを解消するため、例えば障子の外れ止め等では、従来、この外れ止めを上枠の保持溝に回転止め爪で固定したものが提案されている（特許文献１参照）。
【特許文献１】特開２０００−３５２２５７号公報
【発明の開示】
【発明が解決しようとする課題】
【０００３】
しかし、風止め板は、召し合わせ框の幅寸法とほぼ同じ長さか、或いはそれよりも長く形成されるため、一般の外れ止め等と比較すると、比較的大型化して重量も重くなり、このような風止め板を持ったまま、例えば起立した姿勢で上枠に取り付けるとなると、作業性が悪いという問題がある。
【０００４】
そこで、本発明の目的は、枠体の上枠に風止め板を簡単に取り付けることができる開口部装置を提供することにある。
【課題を解決するための手段】
【０００５】
本発明は、四方枠組みした枠体に引き違い形式の障子を備え、この障子の召し合わせ框に対応する前記枠体の上枠に風止め板を備え、この風止め板が前記上枠の保持溝にスライド自在に係合する仮止め爪と、前記上枠の保持溝に当該風止め板を固定する回転止め爪とを備えたことを特徴とする。
【０００６】
この発明では、風止め板を枠体の上枠に止着する場合、まず、風止め板に形成された仮止め爪を保持溝に係合させ、この状態で、風止め板を任意の位置、すなわち障子の召し合わせ框に対応する枠体の上枠の位置にスライドし、ついで、風止め板の回転止め爪を用いて上枠の保持溝に風止め板を固定する。この構成では、風止め板が仮止め爪により上枠の保持溝に仮止めされるため、この風止め板を保持せずとも、例えば手を離してスライドさせることが可能になり、所望の位置にスライドさせた後には、回転止め爪を用いて上枠の保持溝に固定されるため、従来のように、起立した姿勢で、風止め板を持ったまま上枠に取り付ける必要がなく、作業性が向上する。
【０００７】
この場合において、一対の仮止め爪を回転止め爪の両側方に備えていてもよい。一対の仮止め爪の間隔をあけて形成すれば、風止め板の長さが長くなったとしても、この風止め板を、上枠の保持溝にしっかりと仮止めすることができ、風止め板をスライドさせる作業も簡単に行うことができる。
【０００８】
また、少なくとも一つの仮止め爪が一対のスナップ形式のつまみ部を備え、このつまみ部を操作することで当該仮止め爪を保持溝から脱出自在に形成してもよい。
この発明では、風止め板を上枠の保持溝から取り外す場合、まず、回転止め爪の操作により風止め板と上枠との係合を解除し、ついで、一方の仮止め爪のつまみ部を操作することにより仮止め爪を保持溝から脱出させる。
この段階において、他方の仮止め爪が保持溝に保持されていたとしても、一方の仮止め爪を掴んで下方に引けば、この引き力によって他方の仮止め爪を保持溝から容易に脱出させることができる。
【発明の効果】
【０００９】
この発明では、風止め板が仮止め爪により上枠の保持溝に仮止めされるため、この風止め板を保持せずとも、例えば手を離してスライドさせることが可能になる。そして、所望の位置にスライドさせた後には、回転止め爪を用いて上枠の保持溝に固定されるため、従来のように、起立した姿勢で、この風止め板を持ったまま上枠に取り付ける必要がなく、作業性を向上させることができる。
【発明を実施するための最良の形態】
【００１０】
以下、本発明の一実施の形態を図面を参照して説明する。
図１、図２は、本実施の形態によるサッシ窓（開口部装置）１０の縦断面図および横断面図である。このサッシ窓１０は、窓枠（枠体）１と、窓枠１にけんどん式に嵌め込まれるガラスを嵌め込んだ障子６とを組み合わせて構成されている。窓枠１は、上枠１１、下枠１２と左右両端の縦枠１３とを四角枠状に接合して形成されている。上枠１１、下枠１２および縦枠１３は、それぞれ非鉄金属であるアルミニウム製の形材で構成されている。また、上枠１１の下面には、外、内の各レール１６，１７が一体に垂設され、下枠１２の上面には、外、内の各レール１８，１９が一体に立設されている。
【００１１】
窓枠１内に配置される障子６は、室外側に配置されて外レール１６，１８でガイドされる外障子６Ａと、室内側に配置されて内レール１７，１９でガイドされる内障子６Ｂとを備えている。これらの各障子６Ａ，６Ｂは、上框６１，６２と、下框６３，６４と、左右の竪框６５，６６と、外召合せ框６７および内召合せ框６８とをそれぞれ四角枠状に組んで構成されている。そして、各框６１〜６８の内周面には、複層ガラス２９がガスケット３０を介して嵌合されている。各上框６１，６２には、各レール１６，１７を挟み込む摺動片３１が嵌入され、各下框６３，６４には、各レール１８，１９上を転動する戸車３２が回転自在に支持されている。
【００１２】
本実施の形態では、この障子６の召し合わせ框６７，６８に対応する窓枠１の上枠１１の下面に風止め板（図２のハッチングで示す部材）１００が取り付けられている。この風止め板１００は樹脂製であり、図３に示すように、召し合わせ框６７，６８の幅寸法Ｗとほぼ同寸法の風止め部１０１を含み、この風止め部１０１の下面には各障子６Ａ，６Ｂの上框６１，６２に向けて延出する複数のフィン１０２が各障子６Ａ，６Ｂのスライド方向に間隔をあけて一体に形成されている。
【００１３】
この風止め板１００は、図４、図５に示すように、風止め部１０１の一側部に一対のスナップ形式のつまみ部１０３を有し、このつまみ部１０３は、図４中の矢印Ｐの方向に撓み自在に形成され、各つまみ部１０３の自由端には側方に張り出す第一仮止め爪１０５が一体に形成されている。この風止め部１０１の他側部には、風止め板１００を上枠１１に固定するための回転止め爪１０７が形成され、この回転止め爪１０７には薄肉部１１０を介して高さ調整部材１１１が連結されている。
【００１４】
上記回転止め爪１０７は、図４に示すように、本体１０７Ａと、当該本体１０７Ａの開口１０７Ｂに相互回転自在に装着されるロック部材１１３を備えている。このロック部材１１３は、略円柱状の本体１１３Ａと、この本体１１３Ａの外周に一体に形成され、矢印Ｑの方向に撓み自在な一対の係止爪１１３Ｂと、本体１１３Ａの外周に一体に形成され、矢印Ｒの方向に撓み自在な一対のロック爪１１３Ｃとを備え、各ロック爪１１３Ｃには突部１１３Ｅが一体に形成されている。上記ロック部材１１３を、上記係止爪１１３Ｂの側から本体１０７Ａの開口１０７Ｂに装着すると、上記係止爪１１３Ｂが、矢印Ｑの方向に弾発して、開口１０７Ｂの周縁に形成された段部１０７Ｃを乗り越えて進入し、この段部１０７Ｃの摺動面１０７Ｄ上に突出して係止爪１１３Ｂが位置し、この状態では、上記ロック爪１１３Ｃが、図５に示すように、回転止め爪１０７の本体１０７Ａの外側に突出する。また、回転止め爪１０７の本体１０７Ａの両側縁には、それぞれ第二仮止め爪１０９が一体に形成されている。
【００１５】
つぎに、この風止め板１００の取り付け手順を説明する。
図６Ａは、風止め板１００を上枠１１に仮止めした状態を示す斜視図、図６Ｂは、同じく平面図、図６Ｃは、上枠１１の断面図、図７Ａは、風止め板１００を上枠１１に本止めした状態を示す斜視図、図７Ｂは、同じく平面図、図７Ｃは、上枠１１の断面図である。なお、各図は、説明の都合上、天地逆に図示されており、風止め板１００を取り付けた状態では、フィン１０２が下向きになる。
【００１６】
この実施の形態では、風止め板１００を窓枠１の上枠１１に止着する場合、まず、図６Ｂに示すように、ロック部材１１３の頂部の十字溝１１３Ｄに、プラスドライバ等の工具を当て、これを回転させて、一対のロック爪１１３Ｃが上枠１１の保持溝１２１（図６Ａ参照）内に入らないようにした上で、つまみ部１０３の自由端の第一仮止め爪１０５と、回転止め爪１０７の本体１０７Ａの両側縁に形成された第二仮止め爪１０９とを、上枠１１の保持溝１２１内に係止し、仮止めの状態にする。
この状態では、風止め板１００が、第一仮止め爪１０５と、第二仮止め爪１０９とに保持されて、上枠１１の保持溝１２１に沿ってスライド自在であり、この際には、作業員が手を離しても風止め板１００が落下することがない。
【００１７】
ついで、風止め板１００を任意の位置、すなわち障子６Ａ，６Ｂの召し合わせ框６７，６８に対応する窓枠１の上枠１１の位置にスライドさせる。そうしておいて、図７Ｂに示すように、ロック部材１１３の頂部の十字溝１１３Ｄに、プラスドライバ等の工具を当て、これを略９０°回転させる。すると、一対のロック爪１１３Ｃが上枠１１の保持溝１２１内に入る。この状態に至ると、一対のロック爪１１３Ｃの突部１１３Ｅが、上枠１１の保持溝１２１の溝壁に強く当たり、これによって、風止め板１００が、上枠１１の保持溝１２１内に堅固に本止めされる。
【００１８】
この風止め板１００を取り外すには、上述の手順とは逆に、まず、ロック部材１１３を回転させて、一対のロック爪１１３Ｃを上枠１１の保持溝１２１から脱出させる。そうしておいて、両手でつまみ部１０３をつまみ、第一仮止め爪１０５を、上枠１１の保持溝１２１から脱出させる。この状態では、第二仮止め爪１０９だけが、上枠１１の保持溝１２１内に係止されている。ついで、つまみ部１０３側を掴んで下方に引き下ろすと、その引き力で、第二仮止め爪１０９が保持溝１２１から脱出して、風止め板１００が、上枠１１の保持溝１２１から取り外される。
【００１９】
本実施の形態では、風止め板１００が仮止め爪１０５，１０９により上枠１１の保持溝１２１内に仮止めされるため、例えば、この風止め板１００から手を離したとしても、保持溝１２１からの脱落が阻止される。そうなると、風止め板１００をスライドさせて所望の位置にまで移動させる作業性が向上し、所望の位置にスライドさせた後には、回転止め爪１０７のロック部材１１３を回転させるだけで、この風止め板１００を上枠１１の保持溝１２１に簡単に固定することができる。したがって、従来のように、起立した姿勢で、風止め板１００を持ったまま、これを上枠１１に取り付ける必要がなくなり、その取り付けの作業性が格段に向上する。
【００２０】
また、一対の仮止め爪１０５，１０９が回転止め爪１０７の両側方に備えられているため、一対の仮止め爪１０５，１０９の間隔が大きくあき、本構成のように風止め板１００の長さが長くなった場合であっても、この風止め板１００を、上枠の保持溝１２１にしっかりと仮止めすることができ、この風止め板１００をスライドさせる作業も従来のものに比べて簡単に行うことができる。
【００２１】
少なくとも一つの仮止め爪１０５が一対のスナップ形式のつまみ部１０３を備え、このつまみ部１０３を操作することで、当該仮止め爪１０５を保持溝１２１から簡単に脱出させることができるため、風止め板１００を取り外す場合、まず、回転止め爪１０７の操作により風止め板１００と上枠１１との係合を解除し、ついで、一方の仮止め爪１０５を保持溝１２１から脱出させ、この仮止め爪１０５の側を掴んで下方に引けば、この引き力によって他方の仮止め爪１０９を保持溝１２１から容易に脱出させることができる。したがって、取り外し作業性が向上する。
【００２２】
本構成では、図３に示すように、回転止め爪１０７に薄肉部１１０を介して高さ調整部材１１１が連結されている。この高さ調整部材１１１には、ねじ部材１２３が螺入されており、このねじ部材１２３の先端が、回転止め爪１０７の本体１０７Ａから一体に延びる受け部材１２５に当接している。この高さ調整部材１１１は、障子６Ａ，６Ｂの上端と、高さ調整部材１１１の下端との間の隙間δを調節自在である。この隙間δが下枠レールの障子かかり代よりも大きい場合、障子開閉時に障子６Ａ，６Ｂが持ち上がってしまうと障子が下枠レールから外れ、脱落してしまう。
この隙間δの調整時には、ねじ部材１２３が締め込まれる。これを締め込んでいくと、図３Ｂから図３Ｃの状態に徐々に移行し、図３Ｃでは隙間δが零になる。本構成では、上記風止め板１００が通気の防止機能の他に、上記隙間δの外れ止め調整機能を有し、この隙間δの調整をきわめて簡易に行うことができる。
【００２３】
本構成では、通気の防止機能の他に、外れ止め調整機能を持たせたため、この風止め板１００の長さが従来のものに比して長くなる。この場合、一般的には重量も重くなり、取り扱い性、作業性が悪化するが、本実施の形態では、上記構成により、風止め板１００をきわめて簡易に取り付け、取り外しできる。
【００２４】
図８Ａおよび図８Ｂは、別の実施の形態を示す。
この風止め板２００は樹脂製であり、上記と同様に、召し合わせ框６７，６８の幅寸法Ｗとほぼ同寸法の風止め部２０１を含み、この風止め部２０１の下面には各障子６Ａ，６Ｂの上框６１，６２に向けて延出する複数のフィン２０２が各障子６Ａ，６Ｂのスライド方向に間隔をあけて一体に形成されている。また、風止め部２０１の一側部には、図８Ｂに示すように、凹状に凹んだ指掛け部２０３が形成されている。
この風止め部２０１の他側部には、風止め板２００を上枠１１に固定するための回転止め爪２０７が形成され、この回転止め爪２０７には、薄肉部２１０を介して高さ調整部材２１１が連結されている。上記回転止め爪２０７および高さ調整部材２１１の構成は、それぞれ図４および図３に示す構成とほぼ同一構成であり、同一部分には同一符号を付して示し、その説明を省略する。
【００２５】
この実施の形態では、図８Ｂに示すように、風止め部２０１の端に一対の第一仮止め爪２０５が形成され、回転止め爪２０７の本体２０７Ａに一対の第二仮止め爪２０９が形成されている。そして、風止め板２００を窓枠１の上枠１１に止着する場合、第一仮止め爪２０５と、第二仮止め爪２０９とを、上枠１１の保持溝１２１内に係止し、仮止めの状態にする。この状態では、風止め板２００が、仮止めされて、上枠１１の保持溝１２１に沿ってスライド自在であり、この際には、作業員が手を離しても風止め板２００が落下することがない。ついで、風止め板２００を任意の位置、すなわち障子６Ａ，６Ｂの召し合わせ框６７，６８に対応する窓枠１の上枠１１の位置にスライドさせ、回転止め爪２０７のロック部材１１３を略９０°回転させる。すると、上記実施の形態と同様に、一対のロック爪１１３Ｃが上枠１１の保持溝１２１内に入り、一対のロック爪１１３Ｃの突部１１３Ｅが、上枠１１の保持溝１２１の溝壁に強く当たり、風止め板２００が、上枠１１の保持溝１２１内に堅固に本止めされる。
【００２６】
この風止め板２００を取り外すには、上述の手順とは逆に、まず、ロック部材１１３を回転させて、一対のロック爪１１３Ｃを上枠１１の保持溝１２１から脱出させる。そうしておいて、風止め部２０１に設けられた凹状に凹んだ指掛け部２０３に指を掛けて下方に引き下ろすと、その引き力で、各仮止め爪２０５，２０９が保持溝１２１から脱出して、風止め板２００が、上枠１１の保持溝１２１から取り外される。
【００２７】
本実施の形態では、いわゆるスナップ形式のつまみ部１０３（図５参照）が存在しないため、風止め板２００を取り外す作業が若干面倒になるが、その分、風止め板２００が小型、軽量化される等の効果が得られる。
【００２８】
以上、一実施の形態に基づいて本発明を説明したが、本発明は、前述の実施の形態に限定されるものではない。サッシ窓の窓枠としては、各枠１１〜１３がアルミなどの非鉄金属で構成されたものに限らず、各枠が合成樹脂などの断熱性部材で構成されたもの、非鉄金属製の室内部材および室外部材とこの室内外部材を連結する断熱部材とで構成されたもの、非鉄金属製の室外部材と合成樹脂製の室内部材とで構成されたものなどが利用できることは云うまでもない。
【００２９】
障子としては前記実施の形態のものに限らず、例えば非鉄金属製の室外部材と室内部材とを別々に成形し、合成樹脂製の板状２枚の断熱部材を各部材間に配置してかしめて連結した框材を組み合わせた断熱障子を用いてもよい。また、非鉄金属製の室外部材と木製の室内部材とを接合して構成された框材を組み合わせた断熱複層障子を用いてもよい。さらには、各框がアルミ形材などで構成される一般的な障子を用いてもよい。また、障子６には複層ガラス２９を配置していたが、単板ガラスを配置してもよく、これらも断熱性能などを考慮して設定すればよい。
【図面の簡単な説明】
【００３０】
【図１】本発明の一実施の形態におけるサッシ窓を示す縦断面図である。
【図２】図１に示すサッシ窓の横断面図である。
【図３】Ａは、図１に示すサッシ窓の上枠に取り付けられた風止め板を示す図、Ｂは、高さ調整前の図、Ｃは、高さ調整後の図である。
【図４】風止め板を示す分解斜視図である。
【図５】風止め板を示す斜視図である。
【図６】Ａは、図１に示すサッシ窓の上枠に仮止めされた風止め板を示す斜視図、Ｂは、その平面図、Ｃは、上枠の断面図である。
【図７】Ａは、図１に示すサッシ窓の上枠に本止めされた風止め板を示す斜視図、Ｂは、その平面図、Ｃは、上枠の断面図である。
【図８】ＡおよびＢは、風止め板の別の実施形態を示す斜視図である。
【符号の説明】
【００３１】
１  窓枠
６  障子
６Ａ  外障子
６Ｂ  内障子
１０  サッシ窓
１１  上枠
１２  下枠
１３  縦枠
６７，６８  召し合わせ框
１００，２００  風止め板
１０１，２０１  風止め部
１０３  つまみ部
１０５，２０５  第一仮止め爪
１０７，２０７  回転止め爪
１０９，２０９  第二仮止め爪
１１１，２１１  高さ調整部材
【図１】
2007177415.tif 000003
【図２】
2007177415.tif 000004
【図３】
2007177415.tif 000005
【図４】
2007177415.tif 000006
【図５】
2007177415.tif 000007
【図６】
2007177415.tif 000008
【図７】
2007177415.tif 000009
【図８】
2007177415.tif 000010